(57)【特許請求の範囲】
【請求項１】
汚泥脱水ケーキに石灰を混合撹拌し造粒した造粒物を、下流のロータリキルンの排ガスを流動化ガスとする流動層炉に投入し造粒物を流動媒体として乾燥、乾燥・予熱又は乾燥・有機物焼却・消石灰焼成を行った後、流動層炉からの粒状物をロータリキルンに導入して焼成し、焼成粒状物を流動層クーラに導入して冷却する方法であって、流動層炉の排ガスを一部又は全部がジャケット構造の流動層炉サイクロンに導入してダストを捕集するとともに、ジャケットに冷却用流体を導入し間接的冷却して該サイクロンを冷却し、流動層炉サイクロンからの排ガスを熱交換器に導入して造粒物の製造過程で発生する臭気ガスと熱交換し熱回収して、熱交換後の臭気の一部をロータリキルンの燃焼用空気としてロータリキルンのバーナの近傍又は直接バーナに吹き込んで臭気成分を燃焼又は分解により脱臭し、熱交換後の臭気の残部をロータリキルンの窯尻、キルンサイクロンもしくは流動層炉の風箱に吹き込むか、又は流動層炉のフリーボード部に吹き込んで脱臭することを特徴とする地盤改良材の製造方法。
【請求項２】
ロータリキルンの排ガスを一部又は全部がジャケット構造のキルンサイクロンに導入してダストを分離するとともに、ジャケットに冷却用流体を導入し間接冷却して該サイクロンを冷却する請求項１記載の地盤改良材の製造方法。
【請求項３】
流動層炉サイクロンで捕集されたダストをロータリキルンのバーナ近傍に吹き込み、キルン排ガスとともに排出されるまでの間に焼成し、キルンサイクロンで捕集して製品として回収する請求項１又は２記載の地盤改良材の製造方法。
【請求項４】
流動層炉サイクロン及びキルンサイクロンの内壁温度が６００℃以下となるように冷却する請求項３記載の地盤改良材の製造方法。
【請求項５】
造粒物の粒径が１〜２０mmである請求項１〜４のいずれかに記載の地盤改良材の製造方法。
【請求項６】
熱交換器からの排ガスをバグフィルタに導入してダストを捕集し、捕集されたダストを流動層炉サイクロンからのダストとともに、ロータリキルンのバーナ近傍に吹き込む請求項１〜５のいずれかに記載の地盤改良材の製造方法。
【請求項７】
造粒物の製造過程で発生する臭気を熱交換器に導入して昇温し、加熱臭気をロータリキルンの燃焼用空気として回収するとともに、余剰の加熱臭気を流動層炉の風箱及び／又はフリーボード部に吹き込んで脱臭する請求項１〜６のいずれかに記載の地盤改良材の製造方法。
【請求項８】
加熱臭気のロータリキルンへの吹込量、並びに加熱臭気の流動層炉の風箱への吹込量及び／又は加熱臭気の流動層炉のフリーボード部への吹込量を夫々調整する請求項７記載の地盤改良材の製造方法。
【請求項９】
キルンサイクロンの集塵効率を流動層炉サイクロンの集塵効率より大きくする請求項３又は４記載の地盤改良材の製造方法。
【請求項１０】
汚泥脱水ケーキと石灰とを混練し造粒した造粒物を投入し造粒物を流動媒体として乾燥、乾燥・予熱又は乾燥・有機物焼却・消石灰焼成を行うための流動層炉と、
流動層炉からの粒状物を導入して焼成するためのロータリキルンと、
ロータリキルンからの焼成粒状物を冷却するための流動層クーラと、
ロータリキルンの窯尻にロータリキルン排ガス導管を介して接続された、一部又は全部がジャケット構造に構成されたキルンサイクロンと、
キルンサイクロンと流動層炉の風箱とを接続するためのキルンサイクロン排ガス導管と、
流動層炉からの排ガスを導入してダストを分離するための、一部又は全部がジャケット構造に構成された流動層炉サイクロンと、
流動層炉サイクロンからの排ガスを導入して造粒物の製造過程で発生する臭気ガスと熱交換し熱回収するための熱交換器と、
熱交換器からの排ガスを導入してダストを分離するためのバグフィルタと、
流動層炉サイクロンの下部とロータリキルンのバーナ近傍とを接続するサイクロン捕集ダスト導入手段とを備え、
熱交換器で加熱された臭気の一部はロータリキルンの燃焼用空気としてロータリキルンのバーナの近傍又は直接バーナに吹き込まれてロータリキルン内で臭気成分が燃焼又は分解して脱臭され、熱交換器で加熱された臭気の残部はロータリキルンの窯尻、キルンサイクロンもしくは流動層炉の風箱に吹き込まれるか、又は流動層炉のフリーボード部に吹き込まれて脱臭されるようにしたことを特徴とする地盤改良材の製造装置。
【請求項１１】
バグフィルタの下部とサイクロン捕集ダスト導入手段又はロータリキルンのバーナ近傍とがバグフィルタ捕集ダスト供給管を介して接続された請求項１０記載の地盤改良材の製造装置。
【請求項１２】
汚泥脱水ケーキと石灰とを混練するための混練機と、混練機からの混練物を造粒するための造粒機を備えた請求項１０又は１１記載の地盤改良材の製造装置。
【請求項１３】
キルンサイクロン及び／又は流動層炉サイクロンが、上側部に接線方向に排ガスを導入する排ガス導入口を有するとともに、上面中央部に排ガス排出管を有する円筒胴体の下部に、略逆円錐胴体を連設し、この略逆円錐胴体の下部に拡大壁部を連設し、さらに、この拡大壁部に略逆円錐胴部を連設し、略逆円錐胴体の下端部内径Ｄ１と排ガス排出管の内径ｄがＤ１≧ｄの関係を有し、円筒胴体の内径Ｄと拡大壁部の下端部内径Ｄ２との間にＤ２＝（０．８〜１．０）×Ｄの関係を有するようにした高効率サイクロンである請求項１０、１１又は１２記載の地盤改良材の製造装置。
【請求項１４】
熱交換器が、臭気を通過させて加熱するための伝熱管が鉛直に配置された構造である請求項１０〜１３のいずれかに記載の地盤改良材の製造装置。
【請求項１５】
流動層炉のガス分散板が、板体に貫通固定された多数の筒体の天壁部に、直径が流動媒体径の３倍以下の複数の小孔が設けられた構造である請求項１０〜１４のいずれかに記載の地盤改良材の製造装置。
【請求項１６】
流動層炉のガス分散板の上側近傍に補助バーナを設けた請求項１０〜１５のいずれかに記載の地盤改良材の製造装置。
【発明の詳細な説明】
【０００１】
【発明の属する技術分野】
本発明は、下水汚泥、産廃汚泥等の脱水ケーキに生石灰、消石灰等の石灰を混合して脱水乾燥後造粒し、流動層炉で乾燥、有機物の焼却、消石灰の分解などの熱処理した後、ロータリキルンで焼成して地盤改良材を製造する方法及び装置、詳しくは、サイクロン内壁面を再炭酸化温度以下に冷却することにより、ダストの付着を確実に防止することができる地盤改良材の製造方法及び装置に関するものである。
【０００２】
【従来の技術】
下水汚泥、産廃汚泥等は、脱水乾燥された後、流動層炉又はロータリキルン等で汚泥中の有機物を焼却して埋立処分されていたが、近年、焼成、乾留等の処理を行う種々のリサイクル方法が開発されつつある。
従来、汚泥の脱水乾燥焼却方法及び装置として、例えば特開平６−１５２９７号公報には、汚泥と生石灰とを混合して汚泥の脱水・乾燥を行う脱水乾燥工程と、生成した固形分を流動層炉又は気流炉で加熱して汚泥中の有機物を焼却するとともに有機物の燃焼熱により消石灰を焼成して生石灰に再生する焼却再生工程からなる汚泥の脱水乾燥焼却システムが開示されている。
【０００３】
また、特開平１０−２３７８５２号公報には、下水汚泥等の有機汚泥と生石灰、消石灰等の石灰類とを混合し、その混合物を１〜１０mmに造粒した原料をロータリキルンで８００〜１０００℃の温度で乾燥・脱水・有機物焼却・消石灰焼成して地盤改良材を製造する方法が開示されている。
【０００４】
【発明が解決しようとする課題】
上記の特開平６−１５２９７号公報記載の汚泥の脱水乾燥焼却システムにおいては、流動層炉又は気流炉での滞留時間が短いため十分焼成できず、地盤改良材としての性能を満足させることができない。また、生石灰の微粉が再炭酸化及び再水酸化して装置内部に付着し、長期連続運転を行うことができないという問題がある。
また、特開平１０−２３７８５２号公報記載の地盤改良材の製造方法においては、ロータリキルンは伝熱性能が悪いため、ロータリキルンのみの乾焼・脱水・焼却・焼成では装置が大型化し、また、キルン排ガス中のダストが熱交換器に付着して連続運転を阻害し、付着物の除去に多大の労力を要する問題がある。
【０００５】
本発明は上記の諸点に鑑みなされたもので、本発明の目的は、高伝熱性能の流動層炉で造粒物（原料）の乾燥、乾燥・予熱又は乾燥・有機物焼却・消石灰焼成（分解）を行わせることにより、ロータリキルンを小型化することができ、性能の良い地盤改良材を製造することができるとともに、サイクロン内壁面へのダスト付着を確実に防止することができる方法及び装置を提供することにある。
また、本発明の目的は、造粒物（原料）の製造工場で発生する臭気を熱交換器で流動層炉サイクロン排ガスと熱交換させることにより加熱した後、ロータリキルンの燃焼用空気としてロータリキルンに、並びに流動層炉の風箱及び／又はフリーボード部に吹き込むことにより、臭気処理をも確実に行うことができる地盤改良材の製造方法及び装置を提供することにある。
【０００６】
【課題を解決するための手段】
上記の目的を達成するために、本発明の地盤改良材の製造方法は、汚泥脱水ケーキに石灰を混合撹拌し造粒した造粒物を、下流のロータリキルンの排ガスを流動化ガスとする流動層炉に投入し造粒物を流動媒体として乾燥、乾燥・予熱又は乾燥・有機物焼却・消石灰焼成（分解）を行った後、流動層炉からの粒状物をロータリキルンに導入して焼成し、焼成粒状物（焼却灰とＣａＯの混合物）を流動層クーラに導入して冷却する方法であって、流動層炉の排ガスを一部又は全部がジャケット構造の流動層炉サイクロンに導入してダストを捕集するとともに、ジャケットに冷却用流体を導入し間接的冷却して該サイクロンを冷却し、流動層炉サイクロンからの排ガスを熱交換器に導入して造粒物の製造過程で発生する臭気ガスと熱交換し熱回収するように構成されている（図１参照）。冷却用流体としては、空気、水等が用いられるが、とくに空気を用いることが好ましい。
【０００７】
上記の方法において、流動層炉サイクロンで捕集されたダストをロータリキルンのバーナ近傍に吹き込み、望ましくはバーナ上方のキルンから吹き込み、キルン排ガスとともに排出されるまでの間に焼成するように構成することが好ましい（図１参照）。また、ロータリキルンの排ガスを一部又は全部がジャケット構造のキルンサイクロンに導入してダストを分離するとともに、ジャケットに冷却用流体を導入し間接冷却して該サイクロンを冷却することが好ましい（図１参照）。この場合も、冷却用流体としては、空気、水等が用いられるが、とくに空気を用いることが好ましい。
【０００８】
サイクロンでは、６００〜８００℃の温度域において、排ガスに同伴される焼成された粉体とこの排ガスに含まれている炭酸ガスとが再炭酸化反応する。この反応によって炭酸カルシウム等の微粉が生じ、この温度域におけるサイクロンの内壁には硬質の付着物が生成し易く、これによって長期間にわたる連続運転ができなくなる。このため、流動層炉サイクロン及びキルンサイクロンの内壁温度が６００℃以下、望ましくは５５０℃以下となるように冷却する。
【０００９】
これらの方法において、造粒物の粒径を流動層操作に適した１〜２０mm、望ましくは２〜１０mmとする。また、流動層炉からの排ガスを流動層炉サイクロンで除塵した後、流動層炉サイクロンからの排ガスを熱交換器に導入して熱回収することが好ましい（図１参照）。
また、熱交換器からの排ガスをバグフィルタに導入してダストを捕集し、捕集されたダストを流動層炉サイクロンからのダストとともに、ロータリキルンのバーナ近傍に吹き込むことが好ましい（図１参照）。このようにすれば、歩留まりをさらに大きくすることができる。
【００１０】
また、造粒物の製造過程、すなわち、原料製造工場で発生する臭気を熱交換器に導入して昇温し、加熱臭気をロータリキルンの燃焼用空気として回収するとともに、余剰の加熱臭気を流動層炉の風箱及び／又はフリーボード部に吹き込んで脱臭することが好ましい（図１参照）。加熱臭気を流動層炉の風箱に吹き込むために、ロータリキルンの窯尻へ吹き込むか、キルンサイクロンに吹き込むか又は流動層炉の風箱へ直接吹き込むようにする。
さらに加熱臭気のロータリキルンへの吹込量、並びに加熱臭気の流動層炉の風箱への吹込量及び／又は加熱臭気の流動層炉のフリーボード部への吹込量を夫々調整することができるように構成することが好ましい。
また、キルンサイクロンの集塵効率を流動層炉サイクロンの集塵効率より大きくすることが好ましい。このように構成することにより、微粉の系内循環がなくなり、安定運転を継続することが可能となる。
【００１１】
本発明の地盤改良材の製造装置は、汚泥脱水ケーキと石灰とを混練し造粒した造粒物を投入し造粒物を流動媒体として乾燥、乾燥・予熱又は乾燥・有機物焼却・消石灰焼成を行うための流動層炉と、流動層炉からの粒状物を導入して焼成するためのロータリキルンと、ロータリキルンからの焼成粒状物を冷却するための流動層クーラと、ロータリキルンの窯尻にロータリーキルン排ガス導管を介して接続された、一部又は全部がジャケット構造に構成されたキルンサイクロンと、キルンサイクロンと流動層炉の風箱とを接続するためのキルンサイクロン排ガス導管と、流動層炉からの排ガスを導入してダストを分離するための、一部又は全部がジャケット構造に構成された流動層炉サイクロンと、流動層炉サイクロンからの排ガスを導入して造粒物の製造過程で発生する臭気ガスと熱交換し熱回収するための熱交換器と、熱交換器からの排ガスを導入してダストを分離するためのバグフィルタと、流動層炉サイクロンの下部とロータリキルンのバーナ近傍、望ましくはバーナ上方のキルンとを接続するサイクロン捕集ダスト導入手段とを備えたことを特徴としている（図１参照）。
【００１２】
上記の装置において、バグフィルタの下部とサイクロン捕集ダスト導入手段又はロータリキルンのバーナ近傍、望ましくはバーナ上方のキルンとがバグフィルタ捕集ダスト供給管を介して接続された構成とすることが好ましい（図１参照）。
また、汚泥脱水ケーキと石灰とを混練するための混練機と、混練機からの混練物を造粒するための造粒機を備えるように構成することが好ましい（図１参照）。
【００１３】
キルンサイクロン及び流動層炉サイクロンとしては、上側部に接線方向に排ガスを導入する排ガス導入口を有するとともに、上面中央部に排ガス排出管を有する円筒胴体の下部に、略逆円錐胴体を連設し、この略逆円錐胴体の下部に拡大壁部を連設し、さらに、この拡大壁部に略逆円錐胴部を連設し、略逆円錐胴体の下端部内径Ｄ１と排ガス排出管の内径ｄがＤ１≧ｄの関係を有し、円筒胴体の内径Ｄと拡大壁部の下端部内径Ｄ２との間にＤ２＝（０．８〜１．０）×Ｄの関係を有するようにした高効率サイクロンを用いることが好ましい（図２参照）。
【００１４】
また、熱交換器としては、臭気を通過させて加熱するための伝熱管が鉛直に配置された構造のものを用いることが好ましい（図３参照）。
さらに、流動層炉のガス分散板として、板体に貫通固定された多数の筒体の天壁部に、直径が流動媒体径の３倍以下、望ましくは２倍以下の複数の小孔が設けられた構造のものを用いることが好ましい（図４、図５参照）。
また、流動層炉のガス分散板の上側近傍に補助バーナを設けて、立ち上げ時も臭気の脱臭が可能なように構成することが好ましい（図１参照）。
【００１５】
【発明の実施の形態】
以下、本発明の実施の形態を説明するが、本発明は下記の実施の形態に何ら限定されるものではなく、適宜変更して実施することができるものである。
図１は本発明の実施の第１形態による地盤改良材の製造装置を示している。１０は原料（造粒物）製造工場で、混練機１２、造粒機１４等を備えている。汚泥脱水ケーキと石灰類、例えば、生石灰を混練機１２に投入して混練する。生石灰は水分を吸収して消石灰となり、さらに、発熱反応により汚泥脱水ケーキの水分を蒸発させる。生石灰の割合は混練物の水分が造粒に適した範囲で、造粒物が流動層で破壊しない強度を有するよう選ばれる。汚泥脱水ケーキの性状によるが、例えば混練物の水分は２０〜３０％である。
混練物は造粒機１４に導入されて粒径１〜２０mm、望ましくは２〜１０mmに造粒される。なお、造粒機能を備えた混練機を用いることにより、混練と造粒とを１台の装置で同時に行うように構成することも可能である。
【００１６】
造粒機１４からの造粒物（原料）はホッパ１６に一旦貯留された後、供給機、例えばベルトフィーダ１８により流動層炉２０に供給される。流動層炉２０は、下部に風箱２２を備え、風箱上部のガス分散板２４の上側に造粒物が流動媒体となる流動層２６が形成されるように構成されている。この風箱２２には、後述のロータリキルン２８からの排ガスがロータリキルン排ガス導管３１、キルンサイクロン３３及びキルンサイクロン排ガス導管３５を介して導入され、流動化ガスとして用いられる。
【００１７】
流動層炉２０に投入された造粒物（原料）は、ロータリキルン２８からキルンサイクロン３３を経由して導入された排ガスで流動化して、乾燥、又は乾燥・予熱、又は乾燥・汚泥中の有機物焼却・消石灰焼成（分解）が行われる。流動層炉２０からの粒状物（処理物）は気密排出機構、例えばＬバルブ３２を介してロータリキルン２８の窯尻３４に投入されてロータリキルン２８内で８００〜１０００℃、望ましくは８５０〜９００℃の温度で焼成される。３６はキルンバーナである。
ロータリキルン２８で焼成された焼成粒状物（焼却灰とＣａＯの混合物）は流動層クーラー３８に投入されて冷却用空気により冷却され、排出機、例えばロータリフィーダ４０により排出され、輸送機４２により製品として搬出される。流動層クーラ３８からの排ガスはバグフィルタ４４に導入されてダスト（微細焼成物）が分離された後、大気に放出される。捕集されたダストは輸送機４２により製品の一部として搬出される。４６は押込ブロワである。
【００１８】
流動層炉２０からの排ガスは流動層炉サイクロン４８に導入されてダストが捕集され、流動層炉サイクロン４８からの排ガスは熱交換器に導入される。
流動層炉サイクロン４８及び前記キルンサイクロン３３としては、例えば、実用新案登録第２５２１１５２号公報に示されているような、サイクロンの一部又は全部を冷却用ジャケット構造、すなわち二重構造とし、このジャケット部分に冷却用流体、例えば空気を供給して冷却するようにした構造のサイクロンが用いられる。９１、９３は冷却ファンである。
流動層炉サイクロン４８及びキルンサイクロン３３のジャケット部に冷却用空気を送り込んでサイクロンの内壁温度が６００℃以下、望ましくは５５０℃以下となるように冷却することにより、すなわち、再炭酸化温度以下に冷却することにより、炭酸カルシウム等の微粉の付着を確実に防止することができ、安定運転が可能となる。
【００１９】
前記熱交換器としては、排ガス流に対して直列に２段に設けることが好ましい。以下、熱交換器を２段に設けた場合について説明する。高温側の熱交換器５０には原料製造工場１０で発生した臭気が臭気ファン５４により導入され、低温側の熱交換器５２には冷却用空気（大気）が押込ブロワ５６により導入される。
低温側の熱交換器５２からの排ガスは排ガス誘引ファン５８によりバグフィルタ６０に導入され、ここでダストが分離された後、煙突６２から排出される。
高温側の熱交換器５０で加熱された臭気の一部は、ロータリキルン２８の燃焼用空気としてロータリキルンのバーナ３６の近傍又は直接バーナ３６に吹き込まれ、ロータリキルン内で臭気成分が燃焼又は分解して脱臭される。
高温側の熱交換器５０で加熱された臭気の残部は、ロータリキルンの窯尻３４、キルンサイクロン３３もしくは流動層炉の風箱２２に吹き込まれるか、又は流動層炉のフリーボード部６４に吹き込まれて脱臭される。
【００２０】
熱交換器を２段にする場合は、熱回収量は減少するが、装置を小型化（伝熱面積が１／３〜１／４となる）でき、また冷却用空気量を調整することにより、排ガス温度を一定にすることができる。このため、後流のバグフィルタを保護することができ、安定運転を継続することができるという利点がある。
【００２１】
高温側の熱交換器５０からの加熱臭気の分岐管６６、６８、７０には、それぞれバルブ７２、７４、７６が設けられており、加熱臭気のロータリキルン２８のバーナ３６近傍もしくはバーナへの吹込量、並びに加熱臭気のロータリキルンの窯尻３４、キルンサイクロン３３もしくは流動層炉の風箱２２への吹込量及び／又は加熱臭気の流動層炉のフリーボード部６４への吹込量を、それぞれ調整することができるように構成されている。
このように、臭気の吹込配分を調整することができるので、各部の温度をダスト付着のない温度、すなわち、例えば、流動層炉風箱７５０〜８００℃以上、熱交換器入口５５０〜６００℃以下に設定することができる。
【００２２】
流動層炉サイクロン４８で分離されたダストは、排出機、例えばロータリフィーダ７７によりダスト搬送管７８に排出され、ブロワ、例えばルーツブロワ７９によりロータリキルンのバーナ３６の近傍、例えばバーナ上方のキルンに吹き込まれ、キルン排ガスとともに排出されるまでの間に焼成される。この場合、ロータリフィーダ７７、ルーツブロワ７９及びダスト搬送管７８でサイクロン捕集ダスト導入手段が構成される。
熱交換器５０、５２の下流のバグフィルタ６０で捕集されたダストの一部は、ダストの循環を避けるためにダスト系外抜出管８０を介して系外へ抜き出され、ダストの残部はバグフィルタ捕集ダスト供給管８１を介してロータリキルンのバーナ３６の近傍、例えばバーナ上方のキルンに吹き込まれる。
【００２３】
キルンサイクロン３３で捕集されたダストは、排出機、例えばロータリフィーダ８３によりダスト搬送管８５に排出され、ブロワ、例えばルーツブロワ８７により製品タンクへ搬送されて回収される。製品タンクとしては、粗粒・微粉共用のもの１基のみを用いてもよく、又は粗粒用タンクと微粉用タンクの２基を用い、流動層クーラ３８からの粗粒を粗粒用タンクに輸送し、流動層クーラー下流のバグフィルタ４４で捕集された微粉ダスト及びキルンサイクロン３３で捕集された微粉ダストを微粉用タンクに輸送するようにしてもよい。
【００２４】
また、微粉の系内循環を避け、安定運転を行うために、キルンサイクロン３３の集塵効率が、流動層炉サイクロン４８の集塵効率より高くなるように構成することが好ましい。
【００２５】
また、熱交換器５０、５２内のダストの付着を減少させて熱効率を維持する必要がある。このため、流動層炉サイクロン４８及びキルンサイクロン３３としては、例えば、実公平７−４６３５７号公報に示されているような高効率サイクロン（コマ型サイクロン）を用いることが好ましい。この高効率サイクロンは、図２に示すように、上側部に接線方向に排ガスを導入する排ガス導入口８２を有するとともに、上面中央部に排ガス排出管８４を有する円筒胴体８６の下部に、略逆円錐胴体８８を連設し、この略逆円錐胴体８８の下部に拡大壁部９０を連設し、さらに、この拡大壁部９０に略逆円錐胴部９２を連設し、略逆円錐胴体８８の下端部内径Ｄ１と排ガス排出管８４の内径ｄがＤ１≧ｄの関係を有し、円筒胴体８６の内径Ｄと拡大壁部９０の下端部内径Ｄ２との間にＤ２＝（０．８〜１．０）×Ｄの関係を有するように構成されたものである。このような構造のサイクロンを使用することにより、流動層炉２０及びロータリーキルン２８からの排ガス中のダストを効率よく捕集することができる。この高効率サイクロンを用いる場合は、前述のように、ジャケット構造にして用いられる。
【００２６】
また、熱交換器５０としては、図３に示すように、臭気を通過させて加熱するための伝熱管９４が鉛直に配置された構造のものを用いることが好ましい。このように構成すれば、ダストの付着、堆積が少なく清掃も容易となる。なお、低温側の熱交換器５２も同様の構造とすることが好ましい。
さらに、流動層炉２０のガス分散板２４として、例えば、実公平７−３７１１３号公報に示されているような特殊構造の分散板とすることが好ましい。この特殊構造の分散板は、図４及び図５に示すように、板体９６に貫通固定された多数の筒体９８の天壁部１００に、直径が流動媒体径の３倍以下、望ましくは２倍以下の複数の小孔１０２が設けられたものである。このような構造の分散板を用いることにより、流動媒体を高温のまま保持するホットバンキングが可能となる。また、ガス分散板２４の上側近傍に補助バーナ１０４を設けることが好ましく、このように構成すれば、立ち上げ時や、トラブル時のようにロータリキルンの運転ができない場合に、臭気の脱臭を行うことができる。
【００２７】
【発明の効果】
本発明は上記のように構成されているので、つぎのような効果を奏する。
（１）  高伝熱性能の流動層炉で原料（造粒物）の乾燥、又は乾燥・予熱、又は乾燥・有機物の焼却・消石灰の焼成（分解）を行うので、下流のロータリキルンを小型化することができる上に、サイクロンをジャケット構造にしてサイクロン内壁面を再炭酸化温度以下に冷却することにより、微粉の付着を確実に防止することができ、安定運転を行うことができる。
（２）  原料が造粒物であるので、造粒物自体が流動媒体となり、他の流動媒体は不要である。また、クーラとして小型、高効率の流動層クーラを使用することができる。
（３）  流動層炉からの処理物をロータリキルンで十分時間をかけて焼成することができるので、高品質の地盤改良材を得ることができる。
（４）  流動層炉の排ガスで臭気を加熱し熱回収することにより、熱消費を低減することができる。
（５）  臭気の吹込配分を調整する場合は、各部の温度をダスト付着のない温度に設定することができる。また、各部の温度を脱臭可能な温度に設定することができるので、臭気処理を確実に行うことができる。
（６）  キルンサイクロンの集塵効率を流動層炉サイクロンの集塵効率より大きくする場合は、微粉の系内循環がなくなり、安定運転が可能となる。
（７）  流動層炉の排ガスを高集塵効率のサイクロンで除塵する場合は、熱交換器内のダスト付着が大幅に減少し、熱効率を維持することができるとともに、長期連続運転が可能となる。
（８）  伝熱管が鉛直に配列された熱交換器を用いる場合は、ダストの付着、堆積が少なく清掃も容易となる。
（９）  特殊構造のガス分散板を用いる場合は、ホットバンキングを行うことが可能となる。従って、起動・停止操作が短時間で行なえ、異常時の操作も容易である。
（１０）  流動層炉において、補助バーナを設ける場合は、立ち上げ時やトラブル時に臭気の脱臭を行うことができる。
【図面の簡単な説明】
【図１】本発明の実施の第１形態による地盤改良材の製造装置を示す系統的概略構成図である。
【図２】図１におけるサイクロンの一例を示す立面説明図である。
【図３】図１における熱交換器の一例を示す立面説明図である。
【図４】図１における流動層炉のガス分散板の一例を示す断面説明図である。
【図５】図４におけるガス分散板の要部の平面図である。
【符号の説明】
１０  原料製造工場
１２  混練機
１４  造粒機
１６  ホッパ
１８  ベルトフィーダ
２０  流動層炉
２２  風箱
２４  ガス分散板
２６  流動層
２８  ロータリキルン
３１  ロータリキルン排ガス導管
３２  Ｌバルブ
３３  キルンサイクロン
３４  窯尻
３５  キルンサイクロン排ガス導管
３６  キルンバーナ
３８  流動層クーラ
４０、７７、８３  ロータリフィーダ
４２  輸送機
４４、６０  バグフィルタ
４６、５６  押込ブロワ
４８  流動層炉サイクロン
５０、５２  熱交換器
５４  臭気ファン
５８  排ガス誘引ファン
６２  煙突
６４  フリーボード部
６６、６８、７０  加熱臭気の分岐管
７２、７４、７６  バルブ
７８、８５  ダスト搬送管
７９、８７  ルーツブロワ
８０  ダスト系外抜出管
８１  バグフィルタ捕集ダスト供給管
８２  排ガス導入口
８４  排ガス排出管
８６  円筒胴体
８８  略逆円錐胴体
９０  拡大壁部
９１、９３  冷却ファン
９２  略逆円錐胴部
９４  伝熱管
９６  板体
９８  筒体
１００  天壁部
１０２  小孔
１０４  補助バーナ
【図１】
0003905682.tif 000002
【図２】
0003905682.tif 000003
【図３】
0003905682.tif 000004
【図４】
0003905682.tif 000005
【図５】
0003905682.tif 000006